(57)【要約】【課題】上部開口を閉じたときに頂壁が不用意に旋回することがなく、かつ、手間を要せずに上部開口を開けることができる物品収納容器を提供する。【解決手段】物品収納容器１Ａは、前後側壁２，３および左右側壁４，５と、上部開口６を開閉可能な第１〜第３頂壁７ａ，７ｂ，７ｃと、下部開口８を閉じる底壁９とから形成され、前側壁２の上端縁１１近傍に形成された切り込み線２２と、後頂壁３の自由端縁１３に連接されて切り込み線２２から容器１Ａの内側へ進入可能な係入部１４とを有する。第１頂壁７ａは、その自由両側縁１７間を横断する一対の切り取り線１５と、切り取り線１５の間に延びる切り離し可能な帯部１６とを有する。【選択図】      図１
2005035549.tif 000002
【特許請求の範囲】
【請求項１】
可撓性を有する６つの壁がほぼ直角に交差する六面体であり、それら壁が、互いに離間対向して縦方向へ延びる第１および第２側壁と、互いに離間対向して縦方向へ延びる第３および第４側壁と、前記第１側壁の上端縁に連接されて縦方向へ旋回可能かつ上部開口を開閉可能な第１頂壁と、下部開口を閉じる底壁とから形成された物品収納容器において、
前記容器が、前記第２側壁の上端縁に連接されて縦方向へ旋回可能かつ前記上部開口を閉じたときに前記第１頂壁の下に位置する第２頂壁と、前記第２側壁の上端縁近傍に形成されて横方向へ延びる切り込み線と、前記第１側壁の上端縁の反対側に位置する前記第１頂壁の自由端縁に連接されて前記切り込み線から前記容器の内側へ進入可能かつ該容器の内側に係合可能な係入部とを有し、
前記第１頂壁が、互いに離間並行して前記第１頂壁の自由両側縁間を横断する一対の切り取り線と、前記切り取り線の間に延びていて該切り取り線に沿って前記第１頂壁から切り離し可能な帯部とを有することを特徴とする前記容器。
【請求項２】
可撓性を有する６つの壁がほぼ直角に交差する六面体であり、それら壁が、互いに離間対向して縦方向へ延びる第１および第２側壁と、互いに離間対向して縦方向へ延びる第３および第４側壁と、前記第１側壁の上端縁に連接されて縦方向へ旋回可能かつ上部開口を開閉可能な第１頂壁と、下部開口を閉じる底壁とから形成された物品収納容器において、
前記容器が、前記第２側壁の上端縁に連接されて縦方向へ旋回可能かつ前記上部開口を閉じたときに前記第１頂壁の下に位置する第２頂壁と、前記第２側壁の上端縁近傍に形成されて横方向へ延びる切り込み線と、前記第１側壁の上端縁の反対側に位置する前記第１頂壁の自由端縁に連接されて前記切り込み線から前記容器の内側へ進入可能かつ該容器の内側に係合可能な係入部とを有し、
前記第１頂壁が、互いに離間並行して前記第１側壁の上端縁と前記第１頂壁の自由端縁との間を縦断する一対の切り取り線と、前記切り取り線の間に延びていて該切り取り線に沿って前記第１頂壁から切り離し可能な帯部とを有し、前記係入部が、前記帯部につながっていることを特徴とする前記容器。
【請求項３】
前記容器が、前記第３側壁の上端縁に連接されて縦方向へ旋回可能かつ前記上部開口を閉じたときに前記第１頂壁と前記第２頂壁との間に位置する第３頂壁を有する請求項１または請求項２に記載の容器。
【請求項４】
前記第４側壁が、上部開口から縦方向上方へ延びる延長壁を有する請求項１ないし請求項３いずれかに記載の容器。
【発明の詳細な説明】
【０００１】
【発明の属する技術分野】
本発明は、物品収納容器に関する。
【０００２】
【従来の技術】
可撓性を有する６つの壁がほぼ直角に交差する六面体であって、それら壁に囲繞された内部に物品を収納する物品収納容器がある（特許文献１参照）。特許文献１に開示の容器は、互いに離間対向して縦方向へ延びる前後側壁と、互いに離間対向して縦方向へ延びる左右側壁と、後側壁の上端縁に連接されて縦方向へ旋回可能かつ上部開口を開閉可能な頂壁と、後側壁の下端縁に連接されて縦方向へ旋回可能かつ下部開口を開閉可能な底壁とから形成されている。この容器では、頂底壁の自由端縁に前側壁の内側に挿入可能なフラップが連接され、頂底壁の自由端縁の横方向両側にＬ字形の切り込み線が形成されている。左右側壁の上下端縁には、前側壁の上下端縁の側に突出片を有する一対のフラップが連接されている。
【０００３】
この容器の上下部開口を閉じるには、左右側壁に連接されたそれらフラップを旋回させるとともに、頂底壁を旋回させて頂底壁に連接されたフラップを前側壁の内側に挿入する。頂底壁のフラップを前側壁の内側に挿入すると、頂底壁の自由端縁に形成された切り込み線と左右側壁のフラップに形成された突出片とが係合する。
【０００４】
【特許文献１】
特開平８−１３３２７５号公報
【０００５】
【発明が解決しようとする課題】
前記特許文献１に開示の容器は、上下部開口を閉じたときに切り込み線と突出片とが係合するので、頂底壁が不用意に旋回することはなく、頂底壁による上下部開口を閉じた状態が確実に維持される。しかし、この容器は、切り込み線と突出片との係合を解除しなければ、容器の上下部開口を開けることができず、容器内部に収納された物品を簡単に取り出すことができない。また、この容器は、頂底壁を上下部開口から離間させる方向へ強く旋回させなければ、切り込み線と突出片との係合を解除することができず、上下部開口を開ける操作に手間を要する。
【０００６】
本発明の目的は、上部開口を閉じたときに頂壁が不用意に旋回することがなく、かつ、手間を要せずに上部開口を開けることができる物品収納容器を提供することにある。
【０００７】
【課題を解決するための手段】
前記課題を解決するための本発明の前提は、可撓性を有する６つの壁がほぼ直角に交差する六面体であり、それら壁が、互いに離間対向して縦方向へ延びる第１および第２側壁と、互いに離間対向して縦方向へ延びる第３および第４側壁と、前記第１側壁の上端縁に連接されて縦方向へ旋回可能かつ上部開口を開閉可能な第１頂壁と、下部開口を閉じる底壁とから形成された物品収納容器である。
【０００８】
前記前提における本発明の第１の特徴は、前記容器が、前記第２側壁の上端縁に連接されて縦方向へ旋回可能かつ前記上部開口を閉じたときに前記第１頂壁の下に位置する第２頂壁と、前記第２側壁の上端縁近傍に形成されて横方向へ延びる切り込み線と、前記第１側壁の上端縁の反対側に位置する前記第１頂壁の自由端縁に連接されて前記切り込み線から前記容器の内側へ進入可能かつ該容器の内側に係合可能な係入部とを有し、前記第１頂壁が、互いに離間並行して前記第１頂壁の自由両側縁間を横断する一対の切り取り線と、前記切り取り線の間に延びていて該切り取り線に沿って前記第１頂壁から切り離し可能な帯部とを有することにある。
【０００９】
前記前提における本発明の第２の特徴は、前記容器が、前記第２側壁の上端縁に連接されて縦方向へ旋回可能かつ前記上部開口を閉じたときに前記第１頂壁の下に位置する第２頂壁と、前記第２側壁の上端縁近傍に形成されて横方向へ延びる切り込み線と、前記第１側壁の上端縁の反対側に位置する前記第１頂壁の自由端縁に連接されて前記切り込み線から前記容器の内側へ進入可能かつ該容器の内側に係合可能な係入部とを有し、前記第１頂壁が、互いに離間並行して前記第１側壁の上端縁と前記第１頂壁の自由端縁との間を縦断する一対の切り取り線と、前記切り取り線の間に延びていて該切り取り線に沿って前記第１頂壁から切り離し可能な帯部とを有し、前記係入部が、前記帯部につながっていることにある。
【００１０】
本発明の実施の形態の一例としては、前記容器が、前記第３側壁の上端縁に連接されて縦方向へ旋回可能かつ前記上部開口を閉じたときに前記第１頂壁と前記第２頂壁との間に位置する第３頂壁を有する。
【００１１】
本発明の実施の形態の他の一例としては、前記第４側壁が、上部開口から縦方向上方へ延びる延長壁を有する。
【００１２】
【発明の実施の形態】
添付の図面を参照し、本発明にかかる物品収納容器の詳細を説明すると、以下のとおりである。
【００１３】
図１，２は、一例として示す物品収納容器１Ａの斜視図である。図１には、容器１Ａの上部開口６を閉じる以前の状態が示され、図２には、容器１Ａの上部開口６を閉じた状態が示されている。図３，４は、図１の状態から上部開口６を閉じる手順を示す説明図である。なお、図１，２では、縦方向を矢印Ｌ、横方向を矢印Ｍで示し、前後方向を矢印Ｎで示す。
【００１４】
容器１Ａは、互いに離間対向して縦方向へ延びる略矩形の前後側壁２，３（第１および第２側壁）と、互いに離間対向して縦方向へ延びる略矩形の左右側壁４，５（第３および第４側壁）と、上部開口６を開閉可能な頂壁７と、下部開口８を閉じる略矩形の底壁９とから形成されている。容器１Ａは、それら壁２，３，４，５，７，９が略直角に交差する六面体であり、縦方向へ長い直方体を呈する。
【００１５】
頂壁７は、後側壁３の横方向へ延びる上端縁１０に連接された略矩形の第１頂壁７ａと、前側壁２の横方向へ延びる上端縁１１に連接された略矩形の第２頂壁７ｂと、右側壁４の前後方向へ延びる上端縁１２に連接された略矩形の第３頂壁７ｃとから形成されている。第１頂壁７ａは、前側壁２に向かって縦方向へ旋回可能であり、第２頂壁７ｂは、後側壁３の向かって縦方向へ旋回可能である。第３頂壁７ｃは、左側壁５に向かって縦方向へ旋回可能である。
【００１６】
上端縁１０の反対側に位置して横方向へ延びる第１頂壁７ａの自由端縁１３には、係入部１４が連接されている。第１頂壁７ａは、互いに離間並行して横方向へ延びる一対の切り取り線１５と、切り取り線１５の間に形成されて横方向へ延びる帯部１６とを有する。切り取り線１５は、横方向へ断続的に並ぶ多数のミシン目であり、第１頂壁７ａの自由側縁１７の間を横断している。帯部１６は、第１頂壁７ａの前後方向の長さ寸法を略二分する位置に延びており、切り取り線１５に沿って第１頂壁７ａから切り離し可能である。第３頂壁７ｃの横方向へ延びる自由側縁１８の横方向中央部分には、互いに対向する凹欠部１９が形成されている。上端縁１２の反対側に位置して前後方向へ延びる第３頂壁７ｃの自由端縁２０には、フラップ２１が連接されている。
【００１７】
係入部１４は、自由端縁１３の横方向中央部分１３ａに位置している。自由端縁１３の横方向中央部分１３ａは、前後方向後方へ向かってわずかに凹んでいる。係入部１４は、自由端縁１３の側に位置する基端部分１４ａと、基端部分１４ａから延出する先端部分１４ｂとを有する。基端部分１４ａの前後方向の長さ寸法は、自由端縁１３の横方向中央部分１３ａの凹み寸法と略同一である。先端部分１４ｂは、横方向の長さ寸法が基端部分１４ａのそれよりも大きい幅広のものであり、その平面形状が半円形を呈する。係入部１４は、後記する切り込み線２２から容器１Ａの内側へ進入可能である（図２参照）。
【００１８】
前側壁２の上端縁１１の横方向中央部分１１ａには、横方向へ延びる切り込み線２２が形成されている。切り込み線２２の中央域２２ａは、上端縁１１から第２頂壁７ｂに向かって凸となるように延びている。中央域２２ａは、横方向の長さ寸法が係入部１４の基端部分１４ａの横方向のそれと略同一である。切り込み線２２の両端域２２ｂは、中央域２２ａの両側から上端縁１１に沿って横方向へ延びた後、前側壁２の下方へ向かってわずかに延びている（図３，４参照）。切り込み線２２の横方向の長さ寸法は、係入部１４の先端部分１４ｂの横方向の最大長さ寸法と略同一または先端部分１４ｂの横方向の最大長さ寸法よりもわずかに小さい。
【００１９】
前側壁２の横方向へ延びる下端縁２３には、フラップ２４が連接され、後側壁３の横方向へ延びる下端縁２５には、フラップ２６が連接されている。それらフラップ２４，２６は、前後側壁２，３に対して略直交するように下端縁２３，２５に沿って折曲されている。底壁９は、左側壁５の前後方向へ延びる下端縁２７に連接されている。底壁９は、左側壁５に対して略直交するように下端縁２７に沿って折曲されている。下端縁２７の反対側に位置して前後方向へ延びる底壁９の自由端縁２８には、フラップ２９が連接されている。フラップ２９は、自由端縁２８に沿って右側壁４と並行するように折曲されており、右側壁４の内面に当接した状態で、その外面が右側壁４の内面に接着剤（図示せず）を介して固着されている。容器１Ａの底部開口８は、底壁９とフラップ２４，２６とによって閉じられた状態にある。
【００２０】
右側壁４の縦方向へ延びる側縁３７には、連結壁３０が連接されている。連結壁３０は、側縁３７に沿って前側壁２と並行するように折曲されており、前側壁２の内面に当接した状態で、その外面が前側壁２の内面に接着剤（図示せず）を介して固着されている。左側壁５の前後方向へ延びる上端縁３１には、上部開口６から縦方向上方へ延びる延長壁３２が連接されている。延長壁３２の前後方向中央部分には、延長壁３２を貫通する円形の開口３３が形成されている。
【００２１】
図１の状態から容器１Ａの上部開口６を閉じる手順は、以下のとおりである。第２頂壁７ｂを上端縁１１に沿って折曲して後側壁３の上端縁１０に向かって旋回させるとともに（図３参照）、第２頂壁７ｂの上に第３頂壁７ｃが位置するように、第３頂壁７ｃを上端縁１２に沿って折曲して左側壁５の上端縁３１に向かって旋回させた後、第３頂壁７ｃに連接されたフラップ２１を自由端縁２０に沿って左側壁５と並行するように折曲し、フラップ２１を左側壁５の内側に挿入する（図４参照）。
【００２２】
次に、第１頂壁７ａが第３頂壁７ｃの上に位置するように、第１頂壁７ａを上端縁１０に沿って折曲して前側壁２の上端縁１１に向かって旋回させ、係入部１４を切り込み線２２から容器１Ａの内側に挿入する。係入部１４は、先端部分１４ｂが切り込み線２２の中央域２２ａと両側域２２ｂとをとおって容器１Ａの内側に進入すると、基端部分１４ａが切り込み線２２の中央域２２ａに進入し、先端部分１４ｂが容器１Ａの内側（第２頂壁７ｂの内側）に係合する。それら頂壁７ａ，７ｂ，７ｃによって容器１Ａの上部開口６を閉じると、第３頂壁７ｃが第１頂壁７ａと第２頂壁７ｂとの間に位置するとともに、第３頂壁７ｃの凹欠部１９が切り込み線２２の中央域２２ａに位置する。
【００２３】
上部開口６を閉じた容器１Ａは、図２に示すように、係入部１４が容器１Ａの内側に係合するので、第１頂壁７ａの縦方向上方への旋回が阻止されるとともに、第１頂壁７ａに押さえられて第２頂壁７ｂや第３頂壁７ｃの縦方向上方への旋回が阻止される。容器１Ａは、第１頂壁７ａを縦方向上方へ強く旋回させなければ、係入部１４と容器１Ａとの係合を解除することができず、さらに、係入部１４と容器１Ａとの係合を解除しなければ、それら頂壁７ａ，７ｂ，７ｃを縦方向上方へ旋回させることができないので、それら頂壁７ａ，７ｂ，７ｃによる上部開口６を閉じた状態が確実に維持される。
【００２４】
図５は、帯部１６を第１頂壁７ａから切り離す途中の図である。上部開口６を閉じた図２の状態から上部開口６を開ける手順は、以下のとおりである。右側壁４の上端縁１２の側に位置する帯部１６の端を摘持し、帯部１６を矢印Ｌ１で示す縦方向上方へ引っ張る。帯部１６を引っ張ると、切り取り線１５に沿って帯部１６を第１頂壁７ａから切り離すことができる。帯部１６を第１頂壁７ａから切り離すと、第１頂壁７ａが前側壁２の側に位置する部分と後側壁３の側に位置する部分とに二分される。第１頂壁７ａのそれら部分を縦方向上方へ旋回させるとともに、第２頂壁７ｂと第３頂壁７ｃとを縦方向上方へ旋回させ、容器１Ａの上部開口６を開けることができる。
【００２５】
容器１Ａは、帯部１６を第１頂壁７ａから切り離すことで、係入部１４と容器１Ａとの係合を解除することなく、上部開口６を開けることができるので、上部開口６を開ける操作に手間を要することはない。容器１Ａは、帯部１６を第１頂壁７ａから切り離した後でも、第２頂壁７ｂと第３頂壁７ｃとによって上部開口６を再び閉じることができる。
【００２６】
容器１Ａは、左側壁５に形成された延長壁３２に容器１Ａ内部に収納する物品の効能や原材料、使用方法等を表示することができる。容器１Ａは、延長壁３２に形成された開口３３にフックをとおし、フックに吊下げて陳列することができる。容器１Ａは、棚に載置して陳列することもできる。
【００２７】
陳列中の容器１Ａの内部に異物を混入するため、係入部１４と容器１Ａとの係合を無理に解除しようとして第１頂壁７ａを縦方向上方へ強く引っ張ると、その引っ張り力が切り取り線１５に作用し、帯部１６が切り取り線１５に沿って第１頂壁７ａから切り離される。容器１Ａは、それに帯部１６の破れた形跡があれば、容器１Ａにいたずらされたことがわかる。また、容器１Ａは、帯部１６が第１頂壁７ａから切り離されていれば、容器１Ａの上部開口６を少なくも一回開けたことがわかる。
【００２８】
図６は、図１の容器１Ａの展開平面図である。図６では、図の左方から右方へ向かって、前側壁２、左側壁５、後側壁３、右側壁４、連結壁３０の順で並んでいる。前側壁２と左側壁５とは、側縁３４を介して連接され、左側面５と後側面３とは、側縁３５を介して連接されている。後側面３と右側面４とは、側縁３６を介して連接され、右側面４と連結壁３０とは、側縁３７を介して連接されている。
【００２９】
図６の展開平面図から容器１Ａを組み立てる手順は、以下のとおりである。前側壁２が左側壁５に対して直交するように、前側壁２を側縁３４に沿って折曲し、左側壁５が後側壁３に対して直交するように、左側壁５を側縁３５に沿って折曲する。次に、後側壁３が右側壁４に対して直交するように、後側壁３を側縁３６に沿って折曲し、右側壁４が連結壁３０に対して直交するように、右側壁４を側縁３７に沿って折曲する。それら壁２，３，４，５，３０を折曲した後は、互いに重なり合う前側壁２の内面と連結壁３０の外面とを固着する。
【００３０】
フラップ２４が前側壁２に対して直交するように、フラップ２４を下端縁２３に沿って折曲し、フラップ２６が後側壁３に対して直交するように、フラップ２６を下端縁２５に沿って折曲する。次に、底壁９が左側壁５に対して直交するように、底壁９を下端縁２７に沿って折曲し、フラップ２９が底壁９に対して直交するように、フラップ２９を自由端縁２８に沿って折曲する。それらフラップ２４，２６，２９と底壁９とを折曲した後は、フラップ２９を右側壁４の内側に挿入し、右側壁４の内面とフラップ２９の外面とを固着して下部開口８を閉じる。
【００３１】
第２頂壁７ｂが前側壁２に対して直交するように、第２頂壁７ｂを上端縁１１に沿って折曲し、第３頂壁７ｃが右側壁４に対して直交するように、第３頂壁７ｃを上端縁１２に沿って折曲する。次に、フラップ２１が第３頂壁７ｃに対して直交するように、フラップ２１を自由端縁２０に沿って折曲し、フラップ２１を左側壁５の内側に挿入する。第１頂壁７ａが後側壁３に対して直交するように、第１頂壁７ａを上端縁１０に沿って折曲し、係入部１４の基端部分１４ａが第１頂壁７ａに対して直交するように、基端部分１４ａを自由端縁１３に沿って折曲するとともに、係入部１４を切り込み線１５から容器１Ａの内側に挿入し、上部開口６を閉じる。
【００３２】
図７，８は、他の一例として示す物品収納容器１Ｂの斜視図である。図７には、容器１Ｂの上部開口６を閉じる以前の状態が示され、図８には、容器１Ｂの上部開口６を閉じた状態が示されている。図９は、帯部１５を第１頂壁７ａから切り離した状態で示す容器１Ｂの斜視図である。なお、図７，８では、上下方向を矢印Ｘ、横方向を矢印Ｙで示し、前後方向を矢印Ｚで示す。
【００３３】
容器１Ｂは、縦方向へ長い直方体を呈し、互いに離間対向して縦方向へ延びる前後側壁２，３（第１および第２側壁）と、互いに離間対向して縦方向へ延びる左右側壁４，５（第３および第４側壁）と、上部開口６を開閉可能な頂壁７と、下部開口８を閉じる底壁９とから形成されている。
【００３４】
頂壁７は、後側壁３の上端縁１０に連接された第１頂壁７ａと、前側壁２の上端縁１１に連接された第２頂壁７ｂと、右側壁４の上端縁１２に連接された第３頂壁７ｃとから形成されている。第１頂壁７ａは、前側壁２に向かって縦方向へ旋回可能であり、第２頂壁７ｂは、後側壁３に向かって縦方向へ旋回可能である。第３頂壁７ｃは、左側壁５に向かって縦方向へ旋回可能である。
【００３５】
第１頂壁７ａの自由端縁１３には、係入部１４が連接されている。第１頂壁７ａは、互いに離間並行して前後方向へ延びる一対の切り取り線１５と、切り取り線１５の間に形成されて前後方向へ延びる帯部１６とを有する。切り取り線１５は、前後方向へ断続的に並ぶ多数のミシン目であり、後側壁３の上端縁１０と第１頂壁７ａの自由端縁１３との間を縦断している。帯部１６は、第１頂壁７ａの横方向の長さ寸法を略二分する位置に延びており、切り取り線１５に沿って第１頂壁７ａから切り離し可能である。第３頂壁７ｃの自由側縁１８の横方向中央部分には、凹欠部１９が形成されている。第３頂壁７ｃの自由端縁２０には、フラップ２１が連接されている。
【００３６】
係入部１４は、自由端縁１３の横方向中央部分１３ａに位置している。自由端縁１３の横方向中央部分１３ａは、前後方向後方へ向かってわずかに凹んでいる。係入部１４は、自由端縁１３の側に位置する基端部分１４ａと、基端部分１４ａから延出する先端部分１４ｂとを有する。基端部分１４ａの前後方向の長さ寸法は、自由端縁１３の横方向中央部分１３ａの凹み寸法と略同一である。先端部分１４ｂは、横方向の長さ寸法が基端部分１４ａのそれよりも大きい幅広のものであり、その平面形状が半円形を呈する。係入部１４は、その基端部分１４ａが切り取り線１５につながっている。換言すれば、切り取り線１５が上端縁１０と係入部１４の基端部分１４ａとの間に延びている。係入部１４は、切り込み線２２から容器１Ｂの内側へ進入可能である（図８参照）。
【００３７】
前側壁２の上端縁１１の横方向中央部分１１ａには、横方向へ延びる切り込み線２２が形成されている。切り込み線２２の中央域２２ａは、上端縁１１から第２頂壁７ｂに向かって凸となるように延びている。中央域２２ａは、横方向の長さ寸法が係入部１４の基端部分１４ａの横方向のそれと略同一である。切り込み線２２の両端域２２ｂは、中央域２２ａの両側から上端縁１１に沿って横方向へ延びた後、前側壁２の下方へ向かってわずかに延びている。切り込み線２２の横方向の長さ寸法は、係入部１４の先端部分１４ｂの横方向の最大長さ寸法と略同一または先端部分１４ｂの横方向の最大長さ寸法よりもわずかに小さい。
【００３８】
前側壁２の下端縁２３には、フラップ２４が連接され、後側壁３の下端縁２５には、フラップ２６が連接されている。それらフラップ２４，２６は、前後側壁２，３に対して略直交するように下端縁２３，２５に沿って折曲されている。底壁９は、左側壁５の下端縁２７に連接されている。底壁９は、左側壁５に対して略直交するように下端縁２７に沿って折曲されている。底壁９の自由端縁２８には、フラップ２９が連接されている。フラップ２９は、自由端縁２８に沿って右側壁５と並行するように折曲されており、その外面が右側壁５の内面に接着剤（図示せず）を介して固着されている。
【００３９】
右側壁４の側縁３７には、連結壁３０が連接されている。連結壁３０は、側縁３７に沿って前側壁２と並行するように折曲されており、前側壁２の内面に当接した状態で、その外面が前側壁２の内面に接着剤（図示せず）を介して固着されている。左側壁５の上端縁３１には、上部開口６から縦方向上方へ延びる延長壁３２が連接されている。
【００４０】
図７の状態から容器１Ｂの頂部開口６を閉じる手順は、図１のそれと同一であり、その説明は省略する。上部開口６を閉じた容器１Ｂは、図８に示すように、係入部１４が容器１Ｂの内側（第２頂壁７ｂの内側）に係合するので、第１頂壁７ａの縦方向上方への旋回が阻止されるとともに、第１頂壁７ａに押さえられて第２頂壁７ｂや第３頂壁７ｃの縦方向上方への旋回が阻止される。容器１Ｂは、第１頂壁７ａを縦方向上方へ強く旋回させなければ、係入部１４と容器１Ｂとの係合を解除することができず、さらに、係入部１４と容器１Ｂとの係合を解除しなければ、それら頂壁７ａ，７ｂ，７ｃを縦方向上方へ旋回させることができないので、それら頂壁７ａ，７ｂ，７ｃによる上部開口６を閉じた状態が確実に維持される。
【００４１】
上部開口６を閉じた図８の状態から上部開口６を開ける手順は、以下のとおりである。後側壁３の上端縁１０の側に位置する帯部１６の端を摘持し、帯部１６を縦方向上方へ引っ張る。帯部１６を引っ張ると、切り取り線１５に沿って帯部１６を第１頂壁７ａから切り離すことができる。帯部１６を第１頂壁７ａから切り離すと、第１頂壁７ａが右側壁４の側に位置する部分と左側壁５の側に位置する部分とに二分される。第１頂壁７ａのそれら部分を縦方向上方へ旋回させるとともに、第２頂壁７ｂと第３頂壁７ｃとを縦方向上方へ旋回させ、容器１Ｂの上部開口６を開けることができる。
【００４２】
容器１Ｂは、帯部１６を第１頂壁７ａから切り離すことで、係入部１４と容器１Ｂとの係合を解除することなく、上部開口６を開けることができるので、上部開口６を開ける操作に手間を要することはない。容器１Ｂは、帯部１６を第１頂壁７ａから切り離した後でも、第２頂壁７ｂと第３頂壁７ｃとによって上部開口６を再び閉じることができる。容器１Ｂは、左側壁５に形成された延長壁３２に容器１Ｂ内部に収納する物品の効能や原材料、使用方法等を表示することができる。
【００４３】
容器１Ｂは、係入部１４と容器１Ｂとの係合を無理に解除しようとして第１頂壁７ａを縦方向上方へ強く引っ張ると、その引っ張り力が切り取り線１５に作用し、帯部１６が切り取り線１５に沿って第１頂壁７ａから切り離される。容器１Ｂは、それに帯部１６の破れた形跡があれば、容器１Ｂにいたずらされたことがわかる。また、容器１Ｂは、帯部１６が第１頂壁７ａから切り離されていれば、容器１Ｂの上部開口６を少なくとも一回開けたことがわかる。
【００４４】
容器１Ｂは、係入部１４が帯部１６につながっているので、帯部１６を第１頂壁７ａから切り離すことによって、係入部１４も第１頂壁７ａから切り離すことができる（図９参照）。容器１Ｂでは、係入部１４と帯部１６とを第１頂壁７ａから切り離した後、上部開口６を開けて帯部１６とともに係入部１４を容器１Ｂから容易に取り外すことができる。この容器１Ｂでは、係入部１４を取り外すことができるので、係入部１４が第２および第３頂壁７ｂ，７ｃによる上部開口６の開閉の邪魔になることはない。
【００４５】
図１０は、図７の容器１Ｂの展開平面図である。図１０では、図の左方から右方へ向かって、前側壁２、左側壁５、後側壁３、右側壁４、連結壁３０の順で並んでいる。前側壁２と左側壁５とは、側縁３４を介して連接され、左側面５と後側面３とは、側縁３５を介して連接されている。後側面５と右側面４とは、側縁３６を介して連接され、右側面４と連結壁３０とは、側縁３７を介して連接されている。図１０の展開平面図から容器１Ｂを組み立てる手順は、図６のそれと同一であり、その説明は省略する。
【００４６】
容器１Ａ，１Ｂは、その形状を図示の縦方向へ長い直方体に限定するものではなく、横方向または前後方向へ長い直方体であってもよく、立方体であってもよい。また、容器１Ａ，１Ｂは、その大きさに限定はなく、収納する物品に合わせてその大きさを適宜決定することができる。なお、容器１Ａ，１Ｂでは、第２頂壁７ｂの前後方向の長さ寸法が第１頂壁７ａの前後方向のそれより小さくてもよく、左側壁５に延長壁３１が連接されていなくてもよい。
【００４７】
容器１Ａ，１Ｂの材質としては、クラフト紙やグラシン紙等の紙、ポリプロピレンやポリエチレン等の熱可塑性合成樹脂から形成された可撓性のプラスチックシート、または、紙とプラスチックシートとをラミネートした可撓性の複合シートのいずれかを使用することができる。前側壁２と連結壁３０との固着や右側壁４とフラップ２９との固着には、接着剤の他に、ヒートシールや超音波接合等の熱による溶着手段を利用することができる。
【００４８】
それら図示の容器１Ａ，１Ｂでは、後側壁３が請求の範囲における第１側壁に相当し、前側壁２が請求の範囲における第２側壁に相当するとともに、左右側壁４，５が請求の範囲における第３および第４側壁に相当する。ただし、それら側壁２，３，４，５が請求の範囲における第１〜第４側壁を直ちに意味するものではなく、それら側壁２，３，４，５のうちのいずれかを請求の範囲における第１側壁とすることができることはいうまでもない。たとえば、前側壁２を第１側壁とした場合は、後側壁３が第２側壁となり、左右側壁４，５が第３および第４側壁となる。また、右側壁４を第１側壁とした場合は、左側壁５が第２側壁となり、前後側壁２，３が第３および第４側壁となる。
【００４９】
【発明の効果】
第１頂壁にその自由両側縁間を横断する一対の切り取り線が形成された物品収納容器は、第１頂壁によって上部開口を閉じたときに、係入部が容器の内側に係合するので、第１頂壁の縦方向上方への旋回が阻止され、上部開口を閉じた状態が確実に維持されることはもちろん、帯部を切り取り線に沿って第１頂壁から切り離すことで、係入部と容器との係合を解除することなく、上部開口を開けることができ、上部開口を開ける操作に手間を要することはない。
【００５０】
第１頂壁にその自由端縁と第１側壁の上端縁との間を縦断する一対の切り取り線が形成され、係入部が切り取り線の間に延びる帯部につながった物品収納容器は、第１頂壁によって上部開口を閉じたときに、係入部が容器の内側に係合するので、第１頂壁の縦方向上方への旋回が阻止され、上部開口を閉じた状態が確実に維持されることはもちろん、帯部を切り取り線に沿って第１頂壁から切り離すことで、係入部と容器との係合を解除することなく、上部開口を開けることができ、上部開口を開ける操作に手間を要することはない。この容器は、係入部が帯部につながっているので、帯部を第１頂壁から切り離すことによって、係入部も第１頂壁から切り離すことができる。この容器では、帯部を第１頂壁から切り離すことで、帯部とともに係入部を容器から容易に取り外すことができる。
【００５１】
上部開口を閉じたときに第１頂壁と第２頂壁との間に位置する第３頂壁を有する容器では、帯部を第１頂壁から切り離した後でも、第２頂壁と第３頂壁とによって容器の上部開口を再び閉じることができる。
【００５２】
第４側壁が上部開口から縦方向上方へ延びる延長壁を有する容器では、延長壁に容器内部に収納した物品の効能や原材料、使用方法等を表示することができる。
【図面の簡単な説明】
【図１】一例として示す物品収納容器の斜視図。
【図２】一例として示す物品収納容器の斜視図。
【図３】図２の状態から上部開口を閉じる手順を示す説明図。
【図４】図２の状態から上部開口を閉じる手順を示す説明図。
【図５】帯部を第１頂壁から切り離す途中の図。
【図６】図１の容器の展開平面図。
【図７】他の一例として示す物品収納容器の斜視図。
【図８】他の一例として示す物品収納容器の斜視図。
【図９】帯部を第１頂壁から切り離した状態で示す容器の斜視図。
【図１０】図７の容器の展開平面図。
【符号の説明】
１Ａ    物品収納容器
１Ｂ    物品収納容器
２      前側壁（第２側壁）
３      後側壁（第１側壁）
４      右側壁（第３側壁）
５      左側壁（第４側壁）
６      上部開口
７      頂壁
７ａ    第１頂壁
７ｂ    第２頂壁
７ｃ    第３頂壁
８      下部開口
９      底壁
１０      上端縁
１１      上端縁
１１ａ    横方向中央部分
１２      上端縁
１３      自由端縁
１３ａ    横方向中央部分
１４      係入部
１４ａ    基端部分
１４ｂ    先端部分
１５      切り取り線
１６      帯部
１７      自由側縁
２２      切り込み線
２２ａ    中央域
２２ｂ    両端域
【図１】
2005035549.tif 000003
【図２】
2005035549.tif 000004
【図３】
2005035549.tif 000005
【図４】
2005035549.tif 000006
【図５】
2005035549.tif 000007
【図６】
2005035549.tif 000008
【図７】
2005035549.tif 000009
【図８】
2005035549.tif 000010
【図９】
2005035549.tif 000011
【図１０】
2005035549.tif 000012